(57)【要約】【課題】複数の外部装置に電力を分配するシステムにおいてユーザの使い勝手を向上させる。【解決手段】実施形態に係る電力供給システム１０は、電力制御装置２０と電力供給装置３０とを備える。電力計測回路２２は、電力発生装置４０が電力供給装置３０に供給中の電力を計測する。コントローラ２１は、供給中の電力に基づいて追加で供給可能な電力を算出し、算出した追加で供給可能な電力に基づいて、互いに異なる電力条件が定められた３つ以上の動作モードの中から１つの動作モードを選択する。電力供給装置３０から外部装置６０に電力を供給するとき、コントローラ３１は、選択された動作モードに基づいて、外部装置６０に供給する電力を示す供給電力条件を電力変換回路３２に出力する。電力変換回路３２は、供給電力条件に基づいて、電力発生装置４０から入力された電力を変換して外部装置６０に供給する。【選択図】図１
2017147927.tif 000002
【特許請求の範囲】
【請求項１】
電力制御装置と電力供給装置とを備える電力供給システムであって、
前記電力制御装置は、第１コントローラと、電力計測回路と、第１通信回路とを備え、
前記電力計測回路は、電力発生装置から前記電力供給装置に供給中の電力を計測し、
前記第１コントローラは、前記供給中の電力に基づいて、追加で供給可能な電力を算出し、前記追加で供給可能な電力に基づいて、互いに異なる電力条件が定められた３つ以上の動作モードの中から１つの動作モードを選択し、
前記第１通信回路は、前記選択された動作モードを前記電力供給装置に送信し、
前記電力供給装置は、第２コントローラと、電力変換回路と、第２通信回路とを備え、
前記第２通信回路は、前記電力制御装置から前記選択された動作モードを受信し、
前記第２コントローラは、前記選択された動作モードに基づいて、外部装置に供給する電力を示す供給電力条件を前記電力変換回路に出力し、
前記電力変換回路は、前記供給電力条件に基づいて、前記電力発生装置から入力された電力を変換して前記外部装置に供給する、電力供給システム。
【請求項２】
前記３つ以上の動作モード毎に定められた電力条件は、前記外部装置に供給可能な電力であり、
前記外部装置に供給可能な電力は、前記３つ以上の動作モードの間で互いに異なる、請求項１に記載の電力供給システム。
【請求項３】
前記第２コントローラは、前記選択された動作モードで定められた電力条件の範囲内で、前記外部装置と交渉を行い、前記供給電力条件を変更する、請求項１または２に記載の電力供給システム。
【請求項４】
前記第２コントローラは、前記外部装置の種別を判定し、特定の動作モードのとき、前記外部装置の種別に応じて前記供給電力条件を変更する、請求項１から３のいずれかに記載の電力供給システム。
【請求項５】
前記特定の動作モードにおいて、前記外部装置がバッテリーで駆動する装置である場合、
前記第２コントローラは、前記外部装置が前記バッテリーで駆動する装置以外である場合と比較して前記供給電力条件を、供給可能な電力を減らした設定、又は電力供給を行わない設定に変更する、請求項４に記載の電力供給システム。
【請求項６】
コントローラと、電力計測回路と、通信回路とを備える電力制御装置であって、
前記電力計測回路は、電力を生成する電力発生装置が、電力を外部装置に供給する電力供給装置に供給中の電力を計測し、
前記コントローラは、前記供給中の電力に基づいて、追加で供給可能な電力を算出し、前記追加で供給可能な電力に基づいて、互いに異なる電力条件が定められた３つ以上の動作モードの中から１つの動作モードを選択し、
前記通信回路は、前記選択された動作モードを前記電力供給装置に送信する、電力制御装置。
【請求項７】
コントローラと、電力変換回路と、通信回路とを備える電力供給装置であって、
前記通信回路は、電力を制御する電力制御装置から出力された動作モードを受信し、
前記コントローラは、前記受信した動作モードに基づいて、外部装置に供給する電力を示す供給電力条件を前記電力変換回路に出力し、
前記電力変換回路は、前記供給電力条件に基づいて、電力発生装置から入力された電力を変換して前記外部装置に供給する、電力供給装置。
【請求項８】
前記動作モードには、前記外部装置に供給可能な電力が定められている、請求項７に記載の電力供給装置。
【請求項９】
前記コントローラは、前記動作モードに定められた前記供給可能な電力の範囲内で、前記外部装置と交渉を行い、前記供給電力条件を変更する、請求項８に記載の電力供給装置。
【請求項１０】
前記コントローラは、前記外部装置の種別を判定し、前記動作モードが特定の動作モードのとき、前記外部装置の種別に応じて前記供給電力条件を変更する、請求項７から９のいずれかに記載の電力供給装置。
【請求項１１】
前記特定の動作モードにおいて、前記外部装置がバッテリーで駆動する装置である場合、
前記コントローラは、前記外部装置が前記バッテリーで駆動する装置以外である場合と比較して前記供給電力条件を、供給可能な電力を減らした設定、又は電力供給を行わない設定に変更する、請求項１０に記載の電力供給装置。
【発明の詳細な説明】
【技術分野】
【０００１】
本開示は、外部装置へ電力を供給する電力供給システム、電力供給システムにおける電力制御装置および電力供給装置に関する。
【背景技術】
【０００２】
航空機、船舶、鉄道車両などでは、乗客が着座するシートに電力取出し口が設けられている乗り物がある。乗客は、電力取出し口に携帯端末機器等の電子機器を接続することで、電子機器に電力を供給することができる。
【０００３】
複数の外部装置に電力を分配するシステムにおいては、ユーザが使用可能な電力が制限される場合があり、複数の電力取出し口に供給する電力を制限する電力の分配システムが提案されている（例えば、特許文献１参照）。このような電力の分配システムにおいては、電力の最大供給能力を超えて電力を供給できないため、複数の電力取出し口での合計の使用電力が増加した場合は、残りの電力取出し口へは電力を供給しない制御を行い、電力の供給量の増加を抑えることが提案されている。
【先行技術文献】
【特許文献】
【０００４】
【特許文献１】国際公開第２０１３／０４２３０８号
【発明の概要】
【発明が解決しようとする課題】
【０００５】
本開示は、ユーザの使い勝手を向上させた電力供給システム、電力制御装置および電力供給装置を提供する。
【課題を解決するための手段】
【０００６】
本開示のある実施形態に係る電力供給システムは、電力制御装置と電力供給装置とを備える。電力制御装置は、第１コントローラと、電力計測回路と、第１通信回路とを備える。電力計測回路は、電力発生装置が電力供給装置に供給中の電力を計測する。第１コントローラは、供給中の電力に基づいて、追加で供給可能な電力を算出し、追加で供給可能な電力に基づいて、互いに異なる電力条件が定められた３つ以上の動作モードの中から１つの動作モードを選択する。第１通信回路は、選択された動作モードを電力供給装置に送信する。電力供給装置は、第２コントローラと、電力変換回路と、第２通信回路とを備える。第２通信回路は、電力制御装置から選択された動作モードを受信する。第２コントローラは、選択された動作モードに基づいて、外部装置に供給する電力を示す供給電力条件を電力変換回路に出力する。電力変換回路は、供給電力条件に基づいて、電力発生装置から入力された電力を変換して外部装置に供給する。
【０００７】
本開示のある実施形態に係る電力制御装置は、コントローラと、電力計測回路と、通信回路とを備える。電力計測回路は、電力を生成する電力発生装置が、電力を外部装置に供給する電力供給装置に供給中の電力を計測する。コントローラは、供給中の電力に基づいて、追加で供給可能な電力を算出し、追加で供給可能な電力に基づいて、互いに異なる電力条件が定められた３つ以上の動作モードの中から１つの動作モードを選択する。通信回路は、選択された動作モードを電力供給装置に送信する。
【０００８】
本開示のある実施形態に係る電力供給装置は、コントローラと、電力変換回路と、通信回路とを備える。通信回路は、電力を制御する電力制御装置から出力された動作モードを受信する。コントローラは、受信した動作モードに基づいて、外部装置に供給する電力を示す供給電力条件を電力変換回路に出力する。電力変換回路は、供給電力条件に基づいて、電力発生装置から入力された電力を変換して外部装置に供給する。
【発明の効果】
【０００９】
本開示の実施形態によれば、電力条件が互いに異なる３つ以上の動作モードの中から選択した動作モードに基づいて、外部装置へ電力の供給を行う。これにより、ユーザの使い勝手を向上させることができる。
【図面の簡単な説明】
【００１０】
【図１】実施形態に係る電力供給システムを示す図である。
【図２】実施形態に係る航空機を示す図である。
【図３】実施形態に係る電力制御装置の動作を示すフローチャートである。
【図４】実施形態に係る電力供給装置の動作を示すフローチャートである。
【図５】実施形態に係る動作モードと供給電力条件との関係を示す図である。
【図６】実施形態に係る外部装置の種別を考慮した場合の動作モードと供給電力条件との関係を示す図である。
【発明を実施するための形態】
【００１１】
以下、適宜図面を参照しながら、実施形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１２】
なお、発明者は、当業者が本開示を十分に理解するために添付図面および以下の説明を提供するのであって、これらによって特許請求の範囲に記載の主題を限定することを意図するものではない。
【００１３】
上述したように、複数の外部装置に電力を分配する電力供給システムにおいては、ユーザが使用可能な電力が制限される場合がある。このため、複数の電力取出し口での合計の使用電力が増加した場合は、残りの電力取出し口へは電力を供給しない制御を行い、電力の供給量の増加を抑えることが提案されている。しかし、使用中の電力の合計が一定値を超えた場合に、それ以上の電力供給を一律に行わない制御では、新たに外部装置を使用したいユーザにとっては不便である。
【００１４】
本開示のある実施形態によれば、電力条件が互いに異なる３つ以上の動作モードの中から選択した動作モードに基づいて、外部装置へ電力の供給を行う。
【００１５】
以下、実施形態に係る電力供給システム、電力制御装置および電力供給装置を説明する。
【００１６】
図１は、実施形態に係る電力供給システム１０を示すブロック図である。電力供給システム１０は、電力制御装置２０と、電力供給装置３０と、電力発生装置４０とを備える。
【００１７】
電力発生装置４０は、発電機、蓄電池等の電源となる装置であり、電力線５１を介して、生成した電力を電力供給装置３０に供給する。電力供給装置３０は、コネクタ７０を介して、ユーザが使用する外部装置６０に電力を供給する。電力制御装置２０は、通信線５２を介して電力供給装置３０とデータ通信を行い、電力供給装置３０が外部装置６０に供給する電力を制御する。コネクタ７０は、例えばＵＳＢ（Ｕｎｉｖｅｒｓａｌ  Ｓｅｒｉａｌ  Ｂｕｓ）コネクタ等の、電力供給とデータ通信の両方が可能なコネクタである。電力供給装置３０は、コネクタ７０に接続された外部装置６０とデータ通信を行う。なお、コネクタ７０は、家庭用コンセントのような形態であってもよい。
【００１８】
図２は、実施形態に係る電力供給システム１０が搭載された乗り物の一例である航空機１００を示す模式図である。分かり易く説明するために、図２では航空機１００の一部を透かして示している。
【００１９】
図２に示す航空機１００の例では、電力発生装置４０は発電機である。航空機１００の翼１２０にはエンジン１３０が設けられている。この例では、電力発生装置４０はエンジン１３０の内部またはその近傍に配置され、エンジン１３０が発生するエネルギーの一部を電気に変換して出力する。なお、電力発生装置４０は、駐機中などに補助電力として使用されるＡＰＵ（Ａｕｘｉｌｉａｒｙ  Ｐｏｗｅｒ  Ｕｎｉｔ）の内部またはその近傍に配置され、ＡＰＵが発生するエネルギーの一部を電気に変換してもよい。
【００２０】
航空機１００には、乗客が着座する複数のシート１１０が設けられている。電力供給装置３０およびコネクタ７０は、複数のシート１１０の特定のグループ毎に設けられている。例えば、電力供給装置３０およびコネクタ７０は、２人掛けの２列シート毎に１つずつ、３人掛けの３列シート毎に１つずつ設けられる。ユーザである乗客は、コネクタ７０に携帯端末機器等の外部装置６０を接続することで、電力供給装置３０から外部装置６０に電力を供給することができる。なお、電力供給装置３０およびコネクタ７０は、各シート１１０に設けられていてもよい。
【００２１】
図１を参照して、電力制御装置２０は、コントローラ２１と、電力計測回路２２と、通信回路２３とを備える。電力供給装置３０は、コントローラ３１と、電力変換回路３２と、通信回路３３と、挿入検出回路３４を備える。コントローラ２１は、例えばＣＰＵ（Ｃｅｎｔｒａｌ  Ｐｒｏｃｅｓｓｉｎｇ  Ｕｎｉｔ）であり、電力制御装置２０の全体の動作を制御するとともに、電力供給装置３０との間でデータ通信を行って、電力供給システム１０の全体の動作を制御する。コントローラ３１は、例えばＣＰＵであり、電力供給装置３０の全体の動作を制御するとともに、電力制御装置２０との間でデータ通信を行う。
【００２２】
ここでは、複数の電力供給装置３０のうちのいくつかに外部装置６０が接続されて、電力供給装置３０は外部装置６０のそれぞれに電力を供給中であるとする。電力計測回路２２は、電力発生装置４０が複数の電力供給装置３０に現在供給中の電力を計測し、コントローラ２１へ出力する。電力計測回路２２は、例えば電流センサを含み、電力発生装置４０が出力する電流の値から電力を求める。
【００２３】
コントローラ２１は、電力発生装置４０が計測した現在供給中の電力に基づいて、追加で供給可能な電力を算出する。追加で供給可能な電力を求める方法は後述する。コントローラ２１は、算出した追加で供給可能な電力に基づいて、互いに異なる電力条件が定められた３つ以上の動作モードの中から１つの動作モードを選択する。通信回路２３は、コントローラ２１が選択した動作モードを電力供給装置３０に送信する。
【００２４】
電力供給装置３０の通信回路３３は、電力制御装置２０から出力された動作モードを受信する。ユーザが、コネクタ７０に新たな外部装置６０を接続すると、挿入検出回路３４はコネクタ７０に外部装置６０のコネクタが挿入されたことを検出し、コントローラ３１へ出力する。コントローラ３１は、通信回路３３が受信した動作モードに基づいて、新たに接続された外部装置６０に供給する電力を示す供給電力条件を電力変換回路３２に出力する。電力変換回路３２は、供給電力条件に基づいて、電力発生装置４０から入力された電力を変換して外部装置６０に供給する。これにより、新たに接続された外部装置６０に電力が供給される。
【００２５】
この例では、電力発生装置４０は交流電力を出力する。電力変換回路３２は、例えば、ＡＣ−ＡＣコンバータまたはＡＣ−ＤＣコンバータである。あるいは、ＡＣ−ＡＣコンバータとＡＣ−ＤＣコンバータとが混在していてもよい。また、電力発生装置４０が直流電力を出力する場合は、電力変換回路３２は、例えば、ＤＣ−ＡＣコンバータまたはＤＣ−ＤＣコンバータであってもよい。
【００２６】
次に、電力制御装置２０および電力供給装置３０の動作をより詳細に説明する。図３は、電力制御装置２０の動作を示すフローチャートである。図４は、電力供給装置３０の動作を示すフローチャートである。図５は、動作モードと供給電力条件との関係を示す図である。
【００２７】
上述したように、電力制御装置２０の電力計測回路２２は、電力発生装置４０が複数の電力供給装置３０の全体に現在供給中の電力を計測する（ステップＳ１１）。コントローラ２１は、複数の電力供給装置３０の全体に現在供給中の電力が閾値１より大きいか否かを判断する（ステップＳ１２）。この例では、閾値１＞閾値２＞閾値３である。
【００２８】
複数の電力供給装置３０の全体に現在供給中の電力が閾値１より大きい場合（ステップＳ１２でＹＥＳ）、電力発生装置４０が出力可能な電力の最大値またはその近傍の値の電力が現在供給中であるため、コントローラ２１は、動作モードとしてモード１を選択する（ステップＳ１３）。図５に示すように、モード１は、供給電力条件が０Ｗのモードであり、新たに接続された外部装置６０には電力供給を許可しないモードである。
【００２９】
複数の電力供給装置３０の全体に現在供給中の電力が閾値１以下である場合（ステップＳ１２でＮＯ）、コントローラ２１は、その現在供給中の電力が閾値２より大きいか否かを判断する（ステップＳ１４）。現在供給中の電力が閾値２より大きい場合（ステップＳ１４でＹＥＳ）、現在供給中の電力は、電力発生装置４０が出力可能な電力の最大値ではないが、既に多くの電力を供給中であるため、コントローラ２１は、動作モードとしてモード２を選択する（ステップＳ１５）。図５に示すように、モード２は、供給電力条件が２０Ｗのモードであり、新たに接続された外部装置６０への少量の電力供給を許可するモードである。
【００３０】
複数の電力供給装置３０の全体に現在供給中の電力が閾値２以下である場合（ステップＳ１４でＮＯ）、コントローラ２１は、その現在供給中の電力が閾値３より大きいか否かを判断する（ステップＳ１６）。現在供給中の電力が閾値３より大きい場合（ステップＳ１６でＹＥＳ）、電力発生装置４０にはある程度の余力があるため、コントローラ２１は、動作モードとしてモード３を選択する（ステップＳ１７）。図５に示すように、モード３は、供給電力条件が４０Ｗのモードであり、新たに接続された外部装置６０への電力供給を許可するモードである。
【００３１】
複数の電力供給装置３０の全体に現在供給中の電力が閾値３以下である場合（ステップＳ１６でＮＯ）、電力発生装置４０には十分な余力があるため、コントローラ２１は、動作モードとしてモード４を選択する（ステップＳ１８）。図５に示すように、モード４は、供給電力条件が８０Ｗのモードであり、新たに接続された外部装置６０への十分な電力供給を許可するモードである。
【００３２】
電力制御装置２０の通信回路２３は、モード１から４のうちのコントローラ２１が選択した動作モードを電力供給装置３０に送信する（ステップＳ１９）。
【００３３】
次に、図４に示すように、電力供給装置３０の通信回路３３は、電力制御装置２０から出力された動作モードを受信する（ステップＳ２１）。ユーザがコネクタ７０に新たな外部装置６０を接続し、その接続を挿入検出回路３４が検出する（ステップＳ２２でＹｅｓ）と、電力供給装置３０のコントローラ３１は、受信した動作モードに基づいて、新たに接続された外部装置６０に供給する電力を示す供給電力条件を電力変換回路３２に出力する。
【００３４】
コントローラ３１は、受信した動作モードがモード２であるか否かを判断する（ステップＳ２３）。受信した動作モードがモード２である場合（ステップＳ２３でＹＥＳ）、コントローラ３１は、新たに接続された外部装置６０へ供給可能な電力の最大値が２０Ｗという供給電力条件を電力変換回路３２に出力する（ステップＳ２４）。電力変換回路３２は、供給電力が２０Ｗを超えない範囲で、新たに接続された外部装置６０に電力を供給する。
【００３５】
受信した動作モードがモード２でない場合（ステップＳ２３でＮＯ）、コントローラ３１は、受信した動作モードがモード３であるか否かを判断する（ステップＳ２５）。受信した動作モードがモード３である場合（ステップＳ２５でＹＥＳ）、コントローラ３１は、新たに接続された外部装置６０へ供給可能な電力の最大値が４０Ｗという供給電力条件を電力変換回路３２に出力する（ステップＳ２６）。電力変換回路３２は、供給電力が４０Ｗを超えない範囲で、新たに接続された外部装置６０に電力を供給する。
【００３６】
受信した動作モードがモード３でない場合（ステップＳ２５でＮＯ）、コントローラ３１は、受信した動作モードがモード４であるか否かを判断する（ステップＳ２７）。受信した動作モードがモード４である場合（ステップＳ２７でＹＥＳ）、コントローラ３１は、新たに接続された外部装置６０へ供給可能な電力の最大値が８０Ｗという供給電力条件を電力変換回路３２に出力する（ステップＳ２８）。電力変換回路３２は、供給電力が８０Ｗを超えない範囲で、新たに接続された外部装置６０に電力を供給する。
【００３７】
受信した動作モードがモード４でない場合（ステップＳ２７でＮＯ）、コントローラ３１は、受信した動作モードがモード１であると判断する。受信した動作モードがモード１である場合、コントローラ３１は、新たに接続された外部装置６０へ供給可能な電力の最大値は０Ｗという供給電力条件を電力変換回路３２に出力する（ステップＳ２９）。電力変換回路３２は、供給電力条件に基づいて、新たに接続された外部装置６０に電力を供給しない。
【００３８】
複数の電力供給装置３０の全体に現在供給中の電力が一定値を超えた場合に、それ以上の電力供給を一律に行わない制御では、新たに外部装置６０を使用したいユーザはその装置を使用することができず、不便を感じることになる。しかし、本実施形態では、複数の電力供給装置３０の全体に現在供給中の電力に応じて、新たに接続された外部装置６０へ供給する電力を段階的に調整する。このため、全体に現在供給中の電力が電力発生装置４０の出力可能な電力の最大値に近づくことを抑制し、より多くの外部装置に電力を供給することができ、ユーザの使い勝手を向上させることができる。
【００３９】
なお、コントローラ３１は、外部装置６０のコントローラ６１と交渉を行い、選択された動作モードで定められた電力条件の範囲内で、供給電力条件を変更してもよい。例えば、動作モードがモード４（供給電力条件＝８０Ｗ）のときに、新たに接続された外部装置６０のコントローラ６１から４０Ｗの電力供給要求があったとしても、その外部装置６０が２０Ｗでも動作可能な場合は、コントローラ３１は、その外部装置６０へ供給可能な電力の最大値が２０Ｗという供給電力条件を設定してもよい。これにより、全体に現在供給中の電力が電力発生装置４０の出力可能な電力の最大値に近づくことをさらに抑制し、より多くの外部装置に電力を供給することができ、ユーザの使い勝手を向上させることができる。
【００４０】
また、コントローラ３１は、新たに接続された外部装置６０の種別を判定し、外部装置６０の種別に応じて供給電力条件を変更してもよい。例えば、モード２のような特定の動作モードにおいて、新たに接続された外部装置６０がバッテリーで駆動する装置である場合、供給電力条件が示す供給可能な電力を減らしてもよい。または、供給電力条件を外部装置６０に電力供給を行わない設定にしてもよい。バッテリーに残量がある状態では、電力供給装置３０から供給する電力を少なくする、あるいは電力を供給しなくても、外部装置６０は駆動可能であるからである。
【００４１】
図６は、外部装置６０の種別に応じて供給電力条件を変更する実施形態における動作モードと供給電力条件との関係を示す図である。図６に示す例では、モード３および４のような電力発生装置４０に余力がある状態では、新たに接続された外部装置６０がバッテリーで駆動する装置である場合とそうでない場合とで、供給電力条件は同じである。一方、モード１および２のような電力発生装置４０にあまり余力がない状態では、バッテリーで駆動する装置に対して、モード１および２における供給電力条件を０Ｗに設定する。これにより、全体に現在供給中の電力が電力発生装置４０の出力可能な電力の最大値に近づくことをさらに抑制し、より多くの外部装置に電力を供給することができ、ユーザの使い勝手を向上させることができる。
【００４２】
以上のように、本出願において開示する技術の例示として、上記実施形態を説明した。しかしながら、本開示における技術はこれらに限定されず、適宜、変更、置き換え、付加、省略などを行った実施形態も可能である。また、上記実施形態で説明した各構成要素を適宜組み合わせて、新たな実施形態とすることも可能である。
【００４３】
また、上記の例では、電力供給システム１０が搭載される乗り物として航空機を例示したが、乗り物は航空機に限定されない。本開示の技術は、例えば、バス等の自動車、鉄道車両、船舶にも適用可能である。また、本開示の技術は、家屋やビルディングのような建築物等にも適用可能である。
【００４４】
また、上記の例では、電力制御装置２０と電力発生装置４０とは別々に設けられていたが、電力供給システム１０の形態によっては、電力発生装置４０は電力制御装置２０に含まれていてもよい。
【００４５】
また、電力供給装置３０および外部装置６０がＵＳＢ  ＰＤ（Ｐｏｗｅｒ  Ｄｅｌｉｖｅｒｙ）などに準拠し、供給電力についての交渉が可能な場合には、電力供給装置３０は、動作モードにより決められた最大電力値を上限に、供給電力条件を外部装置６０と折衝して決定してもよい。
【００４６】
上記の例では、電力供給装置３０が４つの動作モードを有する場合を示したが、動作モードの数は４つに限定されず、適宜設定できる。動作モードの数は２つでも可能であるが、ユーザの使い勝手を向上させるためには、３つ以上に区分することが望ましい。
【００４７】
以上、説明したように、本開示のある実施形態に係る電力供給システム１０は、電力制御装置２０と電力供給装置３０とを備える。電力制御装置２０は、コントローラ２１と、電力計測回路２２と、通信回路２３とを備える。電力計測回路２２は、電力発生装置４０が電力供給装置３０に供給中の電力を計測する。コントローラ２１は、供給中の電力に基づいて、追加で供給可能な電力を算出し、追加で供給可能な電力に基づいて、互いに異なる電力条件が定められた３つ以上の動作モードの中から１つの動作モードを選択する。通信回路２３は、選択された動作モードを電力供給装置３０に送信する。電力供給装置３０は、コントローラ３１と、電力変換回路３２と、通信回路３３とを備える。通信回路３３は、電力制御装置２０から選択された動作モードを受信する。コントローラ３１は、選択された動作モードに基づいて、外部装置６０に供給する電力を示す供給電力条件を電力変換回路３２に出力する。電力変換回路３２は、供給電力条件に基づいて、電力発生装置４０から入力された電力を変換して外部装置６０に供給する。
【００４８】
ある実施形態において、３つ以上の動作モード毎に定められた電力条件は、外部装置６０に供給可能な電力であり、外部装置６０に供給可能な電力は、３つ以上の動作モードの間で互いに異なってもよい。
【００４９】
ある実施形態において、コントローラ３１は、選択された動作モードで定められた電力条件の範囲内で、外部装置６０と交渉を行い、供給電力条件を変更してもよい。
【００５０】
ある実施形態において、コントローラ３１は、外部装置６０の種別を判定し、特定の動作モードのとき、外部装置６０の種別に応じて供給電力条件を変更してもよい。
【００５１】
ある実施形態において、外部装置６０がバッテリーで駆動する装置である場合、コントローラ３１は、特定の動作モードにおいて、外部装置６０がバッテリーで駆動する装置以外である場合と比較して供給電力条件を、供給可能な電力を減らした設定、又は電力供給を行わない設定に変更してもよい。
【００５２】
本開示のある実施形態に係る電力制御装置２０は、コントローラ２１と、電力計測回路２２と、通信回路２３とを備える。電力計測回路２２は、電力を生成する電力発生装置４０が、電力を外部装置６０に供給する電力供給装置３０に供給中の電力を計測する。コントローラ２１は、供給中の電力に基づいて、追加で供給可能な電力を算出し、追加で供給可能な電力に基づいて、互いに異なる電力条件が定められた３つ以上の動作モードの中から１つの動作モードを選択する。通信回路２３は、選択された動作モードを電力供給装置３０に送信する。
【００５３】
本開示のある実施形態に係る電力供給装置３０は、コントローラ３１と、電力変換回路３２と、通信回路３３とを備える。通信回路３３は、電力を制御する電力制御装置２０から出力された動作モードを受信する。コントローラ３１は、受信した動作モードに基づいて、外部装置６０に供給する電力を示す供給電力条件を電力変換回路３２に出力する。電力変換回路３２は、供給電力条件に基づいて、電力発生装置４０から入力された電力を変換して外部装置６０に供給する。
【００５４】
ある実施形態において、動作モードには、外部装置６０に供給可能な電力が定められていてもよい。
【００５５】
ある実施形態において、コントローラ３１は、動作モードに定められた電力の範囲内で、外部装置６０と交渉を行ってもよい。
【００５６】
ある実施形態において、コントローラ３１は、外部装置６０の種別を判定し、特定の動作モードのとき、外部装置６０の種別に応じて供給電力条件を変更してもよい。
【００５７】
ある実施形態において、外部装置６０がバッテリーで駆動する装置である場合、コントローラ３１は、特定の動作モードにおいて、外部装置６０がバッテリーで駆動する装置以外である場合と比較して供給電力条件を、供給可能な電力を減らした設定、又は電力供給を行わない設定に変更してもよい。
【００５８】
以上のように、本開示における技術の例示として、実施形態を説明した。そのために、添付図面および詳細な説明を提供した。したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００５９】
また、上述の実施形態は、本開示における技術を例示するためのものであるから、請求の範囲またはその均等の範囲において種々の変更、置き換え、付加、省略などを行うことができる。
【産業上の利用可能性】
【００６０】
本開示に係る技術は、複数の装置に電力を分配する技術分野において特に有用であり、例えば、航空機、船舶、鉄道車両、自動車、建築物などに適用できる。
【符号の説明】
【００６１】
１０    電力供給システム
２０    電力制御装置
２１    コントローラ
２２    電力計測回路
２３    通信回路
３０    電力供給装置
３１    コントローラ
３２    電力変換回路
３３    通信回路
３４    挿入検出回路
４０    電力発生装置
６０    外部装置
６１    コントローラ
７０    コネクタ
１００    航空機
【図１】
2017147927.tif 000003
【図２】
2017147927.tif 000004
【図３】
2017147927.tif 000005
【図４】
2017147927.tif 000006
【図５】
2017147927.tif 000007
【図６】
2017147927.tif 000008